Podtech/llm-jp-corpus-v4-ja_patent huggingface dataset:
【手続補正書】
【提出日】平成18年2月8日(2006.2.8)
【手続補正１】
【補正対象書類名】明細書
【補正対象項目名】特許請求の範囲
【補正方法】変更
【補正の内容】
【特許請求の範囲】
【請求項１】  医薬組成物の器官への局所送達による該器官の腫瘍の治療における使用に適する該医薬組成物であって、製剤学的に許容される脂質中にビタミンD化合物を含み、その際、該組成物中の該ビタミンD化合物の濃度は約１×10-7モル／リットルよりも高い前記医薬組成物。
【請求項２】  前記ビタミンD化合物がビタミンDまたはその前駆体、代謝産物もしくは類似体である、請求項１に記載の組成物。
【請求項３】  前記組成物中の前記ビタミンD化合物の濃度が少なくとも約１×10-6モル／リットルである、請求項１または２に記載の組成物。
【請求項４】  前記ビタミンD化合物の濃度が少なくとも約１×10-5モル／リットルである、請求項３に記載の組成物。
【請求項５】  前記ビタミンD化合物の濃度が少なくとも約１×10-4モル／リットルである、請求項４に記載の組成物。
【請求項６】  前記ビタミンD化合物の濃度が少なくとも約１×10-3モル／リットルである、請求項５に記載の組成物。
【請求項７】  前記ビタミンD化合物が、ビタミンD3、25(OH)D3、1,25(OH)2D3および24R,25(OH)2D3、またはそれらの前駆体、代謝産物もしくは類似体からなる群より選ばれる、請求項１〜６のいずれか１項に記載の組成物。
【請求項８】  前記ビタミンD化合物が、EB1089、OCT（22-オキサ-1,25-(OH)2D3）、１α25(OH)2,22,24ジエン,24,26,27トリホモD3、MC903（カルシポトリオール）およびKH1060、1,25(OH)2-16-エン23-イン ビタミンD3およびそのヘキサジュウテロ型からなる群より選ばれる、請求項１〜６のいずれか１項に記載の組成物。
【請求項９】  前記ビタミンD化合物が、ビタミンD5、またはその類似体もしくは代謝産物である、請求項１〜６のいずれか１項に記載の組成物。
【請求項１０】  前記脂質が前記腫瘍に対しアビディティーのある脂質である、請求項１〜９のいずれか１項に記載の組成物。
【請求項１１】  前記脂質が製剤学的に許容される油である、請求項１〜１０のいずれか１項に記載の組成物。
【請求項１２】  前記油が非ヨード処理油である、請求項１１に記載の組成物。
【請求項１３】  前記油がケシの実油である、請求項１２に記載の組成物。
【請求項１４】  前記油がヨード処理油である、請求項１１に記載の組成物。
【請求項１５】  前記油がヨード処理ケシの実油（リピオドール）である、請求項１４に記載の組成物。
【請求項１６】  ビタミンD受容体の発現を増大させる成分をさらに含む、請求項１〜１５のいずれか１項に記載の組成物。
【請求項１７】  前記の追加成分がエストロゲン、エストロゲン様化合物またはエストロゲンアンタゴニストである、請求項１６に記載の組成物。
【請求項１８】  前記の追加成分がタモキシフェンである、請求項１６に記載の組成物。
【請求項１９】  被験体の器官における腫瘍の治療方法における使用のための請求項１〜１８のいずれか１項に記載の組成物の製造における、ビタミンD化合物および製剤学的に許容される脂質の使用であって、前記方法が前記組成物の該器官への局所投与を含む、前記使用。
【請求項２０】  前記方法が肝臓、乳房、前立腺、および腎臓より選ばれる器官の治療、または骨腫瘍の治療である、請求項１９に記載の使用。
【請求項２１】  前記器官が肝臓である、請求項２０に記載の使用。
【請求項２２】  前記組成物が動脈経由の送達のためのものである、請求項１９〜２１のいずれか１項に記載の使用。
【請求項２３】  前記組成物が門脈に対する送達のためのものである、請求項２０または２１に記載の使用。
【請求項２４】  前記腫瘍が原発性または転移性の腫瘍である、請求項１９〜２３のいずれか１項に記載の使用。
【請求項２５】  前記腫瘍が肝癌、大腸癌または肉腫である、請求項１９〜２４のいずれか１項に記載の使用。
【請求項２６】  前記腫瘍が肝癌であり、かつ前記組成物が肝動脈経由の注入による局所投与のためのものである、請求項２５に記載の使用。
【請求項２７】  前記組成物がワンショット投与としての送達のためのものである、請求項１８〜２５のいずれか１項に記載の使用。
【手続補正書】
【提出日】平成18年4月19日(2006.4.19)
【手続補正１】
【補正対象書類名】明細書
【補正対象項目名】特許請求の範囲
【補正方法】変更
【補正の内容】
【特許請求の範囲】
【請求項１】  （（３−（２−アミノ−１，２−ジオキソエチル）−２−メチル−１−（フェニルメチル）−１Ｈ−インドール−４−イル）オキシ）酢酸Ｎ−モルホリノエチルエステル化合物。
【請求項２】  請求項１に記載の化合物を担体または希釈剤とともに含む医薬製剤。
【請求項３】  ｓＰＬＡ２の過剰生産によって誘導および／または維持される症状の治療用の、請求項１に記載の化合物。
【手続補正書】
【提出日】平成18年5月8日(2006.5.8)
【手続補正１】
【補正対象書類名】明細書
【補正対象項目名】特許請求の範囲
【補正方法】変更
【補正の内容】
【特許請求の範囲】
【請求項１】  ＧＤＦ−８インヒビターを有効成分とする個体中のＧＬＵＴ４発現を増加するための医薬製剤。
【請求項２】  ＧＤＦ−８インヒビターを有効成分とする個体中のインスリン感受性および個体中の細胞によるグルコースの取り込みを増加するための医薬製剤。
【請求項３】  ＧＤＦ−８インヒビターを有効成分とする糖尿病を処置するための医薬製剤。
【請求項４】  ＧＤＦ−８インヒビターが抗体または抗体フラグメントである、請求項１ないし３のいずれか１項に記載の医薬製剤。
【請求項５】  ＧＤＦ−８インヒビターが、ＧＤＦ−８のペプチドフラグメント、ＧＤＦ−８の優性ネガティブ変異体、ＧＤＦ−８レセプターアンタゴニスト、非−ＧＤＦ−８ペプチド、アンチセンス核酸およびリボザイムから成る群から選択される、請求項１ないし３のいずれか１項に記載の医薬製剤。
【請求項６】  ＧＤＦ−８インヒビターが成熟ＧＤＦ−８タンパク質に由来する請求項１ないし３のいずれか１項に記載の医薬製剤。
【請求項７】  ＧＤＦ−８インヒビターがＧＤＦ−８GDF-8タンパク質のプロドメインに由来する請求項１ないし３のいずれか１項に記載の医薬製剤。
【請求項８】  インスリン感受性およびグルコースの取り込みを、ＧＬＵＴ４およびＧＬＵＴ１から成る群から選択されるヘキソーストランスポーターの発現をモジュレートすることにより増加させる、請求項２に記載の医薬製剤。
【請求項９】  細胞が筋肉細胞またはその前駆体である、請求項２に記載の医薬製剤。
【請求項１０】  細胞が脂肪細胞またはその前駆体である、請求項２に記載の医薬製剤。
【請求項１１】  糖尿病がＩＩ型糖尿病である、請求項３に記載の医薬製剤。
【手続補正書】
【提出日】平成18年2月8日(2006.2.8)
【手続補正１】
【補正対象書類名】明細書
【補正対象項目名】特許請求の範囲
【補正方法】変更
【補正の内容】
【特許請求の範囲】
【請求項１】  式：
【化１】
2002513764.tif 000001
（式中、Ｒ１は、
無置換Ｃ２〜Ｃ１０アルカノイル、フェニルで置換されたＣ２〜Ｃ１０アルカノイル、または、α炭素原子以外でアミノ基、若しくは、保護されたアミノ基で置換されたＣ２〜Ｃ１０のアルカノイルであるか；
ベンゾイル、または、各々独立してハロゲン、Ｃ１〜Ｃ４の低級アルキル、Ｃ１〜Ｃ４の低級アルコキシ、若しくは、フェニルである１、若しくは２個の置換基を有する置換されたベンゾイルであるか；
α−アミノ酸から誘導されたアシル、または、保護されたα−アミノ酸から誘導されたアシルであって、該α−アミノ酸がＤ−体、または、Ｌ−体の：
アラニン、アルギニン、アスパラギン、アスパラギン酸、システイン、グルタミン酸、グルタミン、グリシン、ヒスチジン、イソロイシン、ロイシン、リジン、メチオニン、３−フェニルアラニン、３−（ｐ−クロロフェニル）アラニン、プロリン、セリン、トレオニン、トリプトファン、及び、バリン
からなる群から選択されるアシルであるか；または、
上に定義したα−アミノ酸から誘導されるアシルであって、そのアミノ酸がアミン上にＣ１〜Ｃ１０のアルキル、ベンジル、フェニルベンジル、若しくは、ｐ−クロロベンジルである置換基を有するアシルであり、ここでＮ−メチル−Ｄ−ロイシンから誘導されるアシルは除く；
Ｒ２は、水素、または、式：
【化２】
2002513764.tif 000002
（式中、Ｒ２ａは水素、または、−ＣＨ２−Ｒ３であり、そして、Ｒ３は水素、Ｃ１〜Ｃ１１のアルキル、Ｃ１〜Ｃ１１のアルキル−Ｒ４、または、Ｒ４−（リンカー（０または１）−Ｒ４）０または１を表し、ここで、Ｒ４は各々独立して、フェニル、または１〜２個の置換基により置換されたフェニルであり、その置換基のそれぞれは独立にハロゲン、Ｃ１〜Ｃ８の低級アルキル、Ｃ１〜Ｃ８の低級アルコキシ、Ｃ１〜Ｃ４の低級アルキルチオ、または、トリフルオロメチルであり、「リンカー」は−Ｏ−、−ＣＨ２−、または、−Ｏ−（ＣＨ２）ｎ−であり、ここで、ｎは１〜３である）のエピバンコースアミニルを表す）
の化合物。
【請求項２】  Ｒ２が、Ｒ２ａが水素のエピバンコースアミニル基である、請求項１に記載の化合物。
【請求項３】  Ｒ２が、Ｒ２ａが−ＣＨ２−Ｒ３のエピバンコースアミニル基である、請求項２に記載の化合物。
【請求項４】  Ｒ３がｐ−ビフェニリルである、請求項３に記載の化合物。
【請求項５】  Ｒ３がｐ−（ｐ−クロロフェニル）フェニルである、請求項３に記載の化合物。
【請求項６】  請求項１〜５のいずれかに記載の化合物を、医薬的に許容され得る希釈剤、または、担体と共に含む医薬製剤。
【請求項７】  宿主における細菌感染を処置するために使用する請求項６に記載の医薬製剤。
【請求項８】  細菌感染がバンコマイシン耐性エンテロコッカスによるものである、請求項７に記載の医薬製剤。
【請求項９】  抗菌治療に使用するための、請求項１〜５のいずれか１項に記載の化合物。
【請求項１０】  バンコマイシン耐性エンテロコッカスに対する抗菌治療に使用するための、請求項１〜５のいずれか１項に記載の化合物。
【請求項１１】  請求項１〜５のいずれか１項に記載の化合物の製造方法であって、式：
【化３】
2002513764.tif 000003
（式中、Ｒ２は請求項１に定義される通りである）
の親グリコペプチドを、請求項１に定義される所望のＲ１のアルカン酸の活性化エステルと反応させ、そして望ましければその後、ＮＤＩＳＡＣＣアミンを還元的にアルキル化し、及び／または、医薬的に許容される塩を形成することを含む方法。
【手続補正書】
【提出日】平成18年3月24日(2006.3.24)
【手続補正１】
【補正対象書類名】明細書
【補正対象項目名】特許請求の範囲
【補正方法】変更
【補正の内容】
【特許請求の範囲】
【請求項１】  （ａ）前記マイクロスフェア内に組み込まれる少なくとも１０重量％の柔軟剤と、必要に応じて、（ｂ）治療的に有効量の薬剤とを含む感圧接着剤マイクロスフェアを含む経皮的薬剤送達組成物。
【請求項２】  前記マイクロスフェアがアクリレートポリマーより構成されている請求項１に記載の組成物。
【請求項３】  前記柔軟剤が、テルペン、炭素原子数８〜３６のアルコール、炭素原子数８〜３６の脂肪酸、脂肪酸エステルもしくは脂肪酸アミド、炭素原子数８〜３６の脂肪酸のグリセリド、アルキル基の炭素原子数が６〜３６であるアルキルピロリドンカルボキシレートまたはそれらの混合物を含む請求項１に記載の組成物。
【請求項４】  前記薬剤が前記マイクロスフェア内に組み込まれた請求項１に記載の組成物。
【請求項５】  経皮的薬剤送達組成物を製造する方法であって、
ａ）少なくとも１種の懸濁安定剤または界面活性剤を含む水性媒質を含む水相中で、アクリル酸エステル、メタクリル酸エステルもしくはビニルエステルモノマーの単独または任意の組み合わせ、非反応性で油溶性の柔軟剤および／または薬剤並びに油溶性遊離基開始剤の１つ以上を含む油相を形成するステップと、
ｂ）前記水相中で前記油相の重合を開始することによって、粘着性マイクロスフェア経皮的薬剤送達組成物を形成するステップと
を含む方法。
【手続補正書】
【提出日】平成18年2月28日(2006.2.28)
【手続補正１】
【補正対象書類名】明細書
【補正対象項目名】特許請求の範囲
【補正方法】変更
【補正の内容】
【特許請求の範囲】
【請求項１】  Ｂ型肝炎表面抗原；失活Ａ型肝炎ウィルス（ＨＡＶ）；及びホルモルを含む水性ワクチン製剤であって、Ｂ型肝炎表面抗原１μｇ当り０．０１５〜０．１mgのリン酸アルミニウム、及び１ml当り０．０５〜０．１０mgの水酸化アルミニウムが存在し、ここで当該製剤が、２投与スケジュールで大人又は子供に投与される、前記水性ワクチン製剤。
【請求項２】  前記ホルモル濃度が１０〜２００μｇ／mlである、請求項１に記載の水性ワクチン製剤。
【請求項３】  ＨＡＶの濃度が７２０〜２，８８０ＥＵ／mlである、請求項１又は２のいずれか１項に記載の水性ワクチン製剤。
【請求項４】  以下の：
２０μｇのＨＢｓＡｇ；
７２０ＥＵのＨＡＶ；
０．４２５mgのＡｌ塩；及び
４０μｇのホルモル；
を含む、大人及び／又は子供への投与のための、請求項３に記載の水性ワクチン製剤。
【請求項５】  以下の：
７２０ＥＵのＨＡＶ；
２０μｇのＨＢｓＡｇ；
０．４５mgのＡｌ塩；及び
８０μｇのホルモル；
を含む、大人及び／又は子供への投与のための、請求項３に記載の水性ワクチン製剤。
【請求項６】  以下の：
７２０ＥＵのＨＡＶ；
２０μｇのＨＢｓＡｇ；
０．２５mgのＡｌ塩；及び
４０μｇのホルモン；
を含む、大人及び／又は子供への投与のための、請求項３に記載の水性ワクチン製剤。
【請求項７】  １mlの投与量中、以下の：
２０μｇのＨＢｓＡｇ；
７２０ＥＵのＨＡＶ；
０．４５mgのアルミニウム塩（０．４mgのリン酸アルミニウム、及び０．０５mgの水酸化アルミニウム）；及び
８０μｇのホルモン；
を含むか又はから成る、大人及び／又は子供への投与のための、請求項３に記載の水性ワクチン製剤。
【請求項８】  ０．５mlの投与量中、以下の：
２０μｇのＨＢｓＡｇ；
７２０ＥＵのＨＡＶ；
０．４５mgのアルミニウム塩（０．４mgのリン酸アルミニウム、及び０．０５mgの水酸化アルミニウム）；及び
８０μｇのホルモン；
を含むか又はから成る、大人及び／又は子供への投与のための、請求項３に記載の水性ワクチン製剤。
【請求項９】  前記Ｂ型肝炎表面抗原がＳ−抗原である、請求項１〜８のいずれか１項に記載の水性ワクチン製剤。
【請求項１０】  前記Ａ型肝炎抗原がＨＭ−１７５株に由来する、請求項１〜９のいずれか１項に記載の水性ワクチン製剤。
【請求項１１】  前記２投与が０ヶ月目と６ヶ月目に行われる、請求項１〜１０のいずれか１項に記載の水性ワクチン製剤。
【手続補正書】
【提出日】平成18年4月25日(2006.4.25)
【手続補正１】
【補正対象書類名】特許請求の範囲
【補正対象項目名】全文
【補正方法】変更
【補正の内容】
【特許請求の範囲】
【請求項１】
式Ｉ：
【化１】
2002513793.tif 000001
[式中、
Ｒ１は、Ｃ１〜４−アルキルであり、
Ｒ２は、ヒドロキシ、Ｃ１〜４−アルコキシ、Ｃ３〜７−シクロアルコキシ、Ｃ３〜７−シクロアルキルメトキシあるいは完全にまたは大部分をフッ素で置換したＣ１〜４−アルコキシであり、
Ｒ３は、ヒドロキシ、Ｃ１〜４−アルコキシ、Ｃ３〜７−シクロアルコキシ、Ｃ３〜７−シクロアルキルメトキシあるいは完全にまたは大部分をフッ素で置換したＣ１〜４−アルコキシであるか、または
Ｒ２とＲ３は、いっしょになって、Ｃ１〜２−アルキレンジオキシ基を表し、
Ｒ４は、Ｒ５およびＲ６で置換されたフェニル基を表し、この際、
Ｒ５は、水素、ヒドロキシ、ハロゲン、ニトロ、Ｃ１〜４−アルキル、トリフルオロメチルまたはＣ１〜４−アルコキシであり、
Ｒ６は、ＣＯ−Ｒ７またはＣＯ−Ｒ８であり、ここで、
Ｒ７は、ヒドロキシ、Ｃ１〜８−アルコキシ、Ｃ３〜７−シクロアルコキシまたはＣ３〜７−シクロアルキルメトキシであり、
Ｒ８は、Ｎ（Ｒ８１）Ｒ８２であり、ここで、
Ｒ８１およびＲ８２は、相互に独立して、水素、Ｃ１〜７−アルキル、Ｃ３〜７−シクロアルキルまたはＣ３〜７−シクロアルキルメチルであるか、またはＲ８１とＲ８２はいっしょになって、それらが結合した窒素原子を含有する、１−ピロリジニル、１−ピペリジル、１−ヘキサヒドロアゼピニル、または４−モルホリニル基を表す]の化合物ならびに化合物の塩。
【請求項２】
式中、
Ｒ１が、メチルであり、
Ｒ２が、Ｃ１〜４−アルコキシであり、
Ｒ３が、Ｃ１〜４−アルコキシであり、
Ｒ４が、Ｒ５およびＲ６で置換されたフェニル基であり、ここで、
Ｒ５が、水素、ヒドロキシ、Ｃ１〜４−アルキルまたはＣ１〜４−アルコキシであり、
Ｒ６が、ＣＯ−Ｒ７またはＣＯ−Ｒ８であり、この際、
Ｒ７が、ヒドロキシ、Ｃ１〜８−アルコキシまたはＣ３〜７−シクロアルコキシであり、
Ｒ８が、Ｎ（Ｒ８１）Ｒ８２であり、この際、
Ｒ８１およびＲ８２は相互に独立して、水素、Ｃ１〜７−アルキルまたはＣ３〜７−シクロアルキルであるか、またはＲ８１とＲ８２はいっしょになって、それらが結合した窒素原子を含有する、１−ピペリジル、１−ヘキサヒドロアゼピニルまたは４−モルホリニル基である、請求項１記載の式Ｉの化合物ならびに化合物の塩。
【請求項３】
式中、
Ｒ１が、メチルであり、
Ｒ２が、メトキシ、エトキシまたはプロポキシであり、
Ｒ３が、メトキシまたはエトキシであり、
Ｒ４が、Ｒ５およびＲ６で置換されたフェニル基であり、ここで
Ｒ５が、水素であり、
Ｒ６が、ＣＯ−Ｒ７またはＣＯ−Ｒ８であり、この際、
Ｒ７が、ヒドロキシまたはＣ１〜８−アルコキシであり、
Ｒ８が、Ｎ（Ｒ８１）Ｒ８２であり、この際、
Ｒ８１およびＲ８２が、相互に独立して、水素またはＣ１〜４−アルキルまたはＣ５〜７−シクロアルキルであるか、またはＲ８１とＲ８２はいっしょになって、それらが結合した窒素原子を含有する、１−ピペリジル、１−ヘキサヒドロアゼピニルまたは４−モルホリニル基である、請求項１記載の式Ｉの化合物ならびに化合物の塩。
【請求項４】
式中、
Ｒ１が、メチルであり、
Ｒ２が、エトキシであり、
Ｒ３が、メトキシまたはエトキシであり、
Ｒ４が、Ｒ５およびＲ６で置換されたフェニル基であり、ここで、
Ｒ５が、水素であり、
Ｒ６が、ＣＯ−Ｒ７またはＣＯ−Ｒ８であり、この際、
Ｒ７が、Ｃ１〜４−アルコキシであり、
Ｒ８が、Ｎ（Ｒ８１）Ｒ８２であり、この際、
Ｒ８１およびＲ８２が、相互に独立して、Ｃ１〜４−アルキルまたはＣ５〜７−シクロアルキルであるか、またはＲ８１とＲ８２はいっしょになって、それらが結合した窒素原子を含有する、１−ピペリジルまたは１−ヘキサヒドロアゼピニル基である、請求項１記載の式Ｉの化合物ならびに化合物の塩。
【請求項５】
式中、
Ｒ１が、メチルであり、
Ｒ２が、エトキシまたはプロポキシであり、
Ｒ３が、メトキシであり、
Ｒ４が、Ｒ５およびＲ６で置換されたフェニル基であり、ここで、
Ｒ５が、水素であり、
Ｒ６が、ＣＯ−Ｒ８であり、この際
Ｒ８が、Ｎ（Ｒ８１）Ｒ８２であり、この際、
Ｒ８１およびＲ８２が、相互に独立して、Ｃ１〜４−アルキルである、請求項１記載の式Ｉの化合物ならびに化合物の塩。
【請求項６】
４ａおよび１０ｂ位において、水素原子が相互にシス位に存在する、請求項１記載の式Ｉの化合物ならびに化合物の塩。
【請求項７】
出発物質として使用可能な、旋光度が[α]２０Ｄ＝−６５.５゜（Ｃ＝１，メタノール）の化合物（−）−シス−４−アミノ−３−（３−エトキシ−４−メトキシフェニル）−１−メチルピペリジン−ジヒドロクロリドと同じ絶対配置を４ａおよび１０ｂ位に有する、請求項１記載の式Ｉの化合物ならびに化合物の塩。
【請求項８】
慣用の医薬品助剤および／または賦形剤と共に、請求項１から７までのいずれか１項記載の化合物を１つ以上含有する、気道疾患および／または皮フ疾患治療用の医薬品。
【手続補正書】
【提出日】平成18年4月26日(2006.4.26)
【手続補正１】
【補正対象書類名】明細書
【補正対象項目名】特許請求の範囲
【補正方法】変更
【補正の内容】
【特許請求の範囲】
【請求項１】  式Ｉ：
【化１】
2002513791.tif 000001
[式中、
Ｙは、酸素またはＮＨであり、
Ｒ１は、Ｃ１〜４−アルコキシ、Ｃ３〜７−シクロアルコキシ、Ｃ３〜７−シクロアルキルメトキシ、ベンジルオキシあるいは完全にまたは大部分をフッ素で置換したＣ１〜４−アルコキシであり、
Ｒ２は、水素またはＣ１〜４−アルキルであり、
Ｒ３は、水素またはＣ１〜４−アルキルであるか、または
Ｒ２とＲ３は、いっしょになって、これらが結合している両方の炭素原子を含有する５−、６−または７−員の、酸素で中断されていてもよいスピロ結合した炭化水素環を表し、
Ｒ４は、Ｃ（Ｏ）Ｒ５、Ｃ（Ｏ）Ｒ６、−ＣｎＨ２ｎ−Ｃ（Ｏ）Ｒ５または−ＣｎＨ２ｎ−Ｃ（Ｏ）Ｒ６であり、ここで、
Ｒ５は、ヒドロキシ、Ｃ１〜７−アルコキシ、Ｃ３〜７−シクロアルコキシ、Ｃ３〜７−シクロアルキルメトキシ、Ｈ２Ｎ−ＣｍＨ２ｍ−Ｏ−またはＲ５１（Ｒ５２）Ｎ−ＣｐＨ２ｐ−Ｏ−であり、ここで、
Ｒ５１は、水素、Ｃ１〜７−アルキル、Ｃ３〜７−シクロアルキルまたはＣ３〜７−シクロアルキルメチルであり、
Ｒ５２は、Ｃ１〜７−アルキル、Ｃ３〜７−シクロアルキルまたはＣ３〜７−シクロアルキルメチルであるか、または、
Ｒ５１とＲ５２は、いっしょになって、これらの両方が結合した窒素を含有する５−、６−または７−員の、付加的に−Ｎ（Ｒ７）−基または酸素で中断されていてよい炭化水素環を表し、
Ｒ６は、Ｎ（Ｒ６１）Ｒ６２であり、ここで
Ｒ６１とＲ６２は、相互に独立して、水素、Ｃ１〜７−アルキル、Ｃ３〜７−シクロアルキルまたはＣ３〜７−シクロアルキルメチルであり、
Ｒ７は、水素またはＣ１〜４−アルキルであり、
ｍは、２、３または４であり、
ｎは、１、２、３または４であり、
ｐは、１、２、３または４である]の化合物ならびにその塩。
【請求項２】  Ｙが、酸素またはＮＨであり、
Ｒ１が、Ｃ１〜４−アルコキシ、Ｃ３〜５−シクロアルコキシ、Ｃ３〜５−シクロアルキルメトキシあるいは完全にまたは大部分をフッ素で置換したＣ１〜２−アルコキシであり、
Ｒ２が、Ｃ１〜４−アルキルであり、
Ｒ３が、水素またはＣ１〜４−アルキルであるか、または、
Ｒ２とＲ３は、いっしょになって、これらが結合している両方の炭素原子を含有する、スピロ結合したシクロペンタン環、シクロヘキサン環、テトラヒドロフラン環またはテトラヒドロピラン環を表し、
Ｒ４が、Ｃ（Ｏ）Ｒ５、Ｃ（Ｏ）Ｒ６、−ＣｎＨ２ｎ−Ｃ（Ｏ）Ｒ５または−ＣｎＨ２ｎ−Ｃ（Ｏ）Ｒ６であり、ここで、
Ｒ５が、ヒドロキシ、Ｃ１〜７−アルコキシ、Ｃ３〜７−シクロアルコキシ、Ｃ３〜７−シクロアルキルメトキシ、Ｈ２Ｎ−ＣｍＨ２ｍ−Ｏ−またはＲ５１（Ｒ５２）Ｎ−ＣｐＨ２ｐ−Ｏ−であり、ここで、
Ｒ５１が、水素またはＣ１〜４−アルキルであり、
Ｒ５２が、Ｃ１〜４−アルキルであるか、または、
Ｒ５１とＲ５２は、いっしょになって、これらの両方が結合している窒素を含有する５−、６−または７−員の、付加的に−Ｎ（Ｒ７）−基または酸素で中断されていてよい炭化水素環を表し、
Ｒ６が、Ｎ（Ｒ６１）Ｒ６２であり、ここで
Ｒ６１とＲ６２は、相互に独立して、水素またはＣ１〜４−アルキルであり、
Ｒ７が、水素またはＣ１〜４−アルキルであり、
ｍが、２、３または４であり、
ｎが、１または２であり、
ｐが、１、２、３または４である、請求項１記載の式Ｉの化合物ならびにその塩。
【請求項３】  Ｙが、酸素またはＮＨであり、
Ｒ１が、メトキシ、エトキシ、シクロプロピルメトキシ、あるいは完全にまたは大部分をフッ素で置換したＣ１〜２−アルコキシであり、
Ｒ２とＲ３は、いっしょになって、これらが結合している両方の炭素原子を含有する、スピロ結合したシクロペンタン環、シクロヘキサン環、テトラヒドロフラン環またはテトラヒドロピラン環を表し、
Ｒ４が、Ｃ（Ｏ）Ｒ５、Ｃ（Ｏ）Ｒ６、−ＣｎＨ２ｎ−Ｃ（Ｏ）Ｒ５または−ＣｎＨ２ｎ−Ｃ（Ｏ）Ｒ６であり、ここで、
Ｒ５が、ヒドロキシ、Ｃ１〜４−アルコキシまたはＲ５１（Ｒ５２）Ｎ−ＣｐＨ２ｐ−Ｏ−であり、ここで、
Ｒ５１が、水素またはＣ１〜４−アルキルであり、
Ｒ５２が、Ｃ１〜４−アルキルであるか、または、
Ｒ５１とＲ５２は、いっしょになって、これらの両方が結合している窒素を含有する６−員の、−Ｎ（Ｒ７）−基または酸素で中断されていてよい炭化水素環を表し、
Ｒ６が、Ｎ（Ｒ６１）Ｒ６２であり、ここで
Ｒ６１とＲ６２は、相互に独立して、水素またはＣ１〜４−アルキルであり、
Ｒ７が、水素またはＣ１〜４−アルキルであり、
ｎが、１または２であり、
ｐが、１、２、３または４である、請求項１記載の式Ｉの化合物ならびにその塩。
【請求項４】  Ｙが、酸素またはＮＨであり、
Ｒ１が、メトキシであり、
Ｒ２とＲ３がいっしょになって、これらが結合している両方の炭素原子を含有する、スピロ結合したシクロペンタン環またはテトラヒドロピラン環を表し、
Ｒ４が、カルボキシ、カルボキシメチル、カルボキシメチルメチル、メトキシカルボニルメチル、メトキシカルボニルメチルメチル、メトキシカルボニル、アミノカルボニルまたはモルホリン−４−イル−エチレンオキシ−カルボニルである、請求項１記載の式Ｉの化合物ならびにその塩。
【請求項５】  Ｙが、酸素またはＮＨであり、
Ｒ１が、メトキシであり、
Ｒ２とＲ３がいっしょになって、これらが結合している両方の炭素原子を含有する、スピロ結合したシクロペンタン環を表し、
Ｒ４が、カルボキシ、カルボキシメチル、カルボキシメチルメチル、メトキシカルボニルメチル、メトキシカルボニルメチルメチル、メトキシカルボニル、アミノカルボニルまたはモルホリン−４−イル−エチレンオキシ−カルボニルである、請求項１記載の式Ｉの化合物ならびにその塩。
【請求項６】  請求項１から５までのいずれか１項に記載の化合物を１つ以上含有する、気道障害の治療用の医薬品。
【請求項７】  請求項１から５までのいずれか１項に記載の化合物を１つ以上含有する、皮フ病の治療用の医薬品。
【手続補正書】
【提出日】平成18年4月18日(2006.4.18)
【手続補正１】
【補正対象書類名】明細書
【補正対象項目名】特許請求の範囲
【補正方法】変更
【補正の内容】
【特許請求の範囲】
【請求項１】  キメラＣＨＩＶレトロウイルスゲノムを含むポリヌクレオチドであって、ここで該キメラＣＨＩＶレトロウイルスゲノムは、以下：ＨＩＶ−１エンベロープ遺伝子、哺乳動物宿主細胞において該キメラレトロウイルスゲノムを発現することにより産生されて生じるレトロウイルス粒子を霊長類に対して非病原性にするに十分なヤギ関節炎−脳炎ウイルス（ＣＡＥＶ）のウイルスゲノムの１つ以上のセグメントを含み、ここで該キメラゲノムは、哺乳動物宿主細胞において該キメラレトロウイルスゲノムの発現を指向する発現制御セグメントを含み、そしてここで、宿主細胞において該レトロウイルスゲノムを発現することにより産生される該レトロウイルス粒子が、ＨＩＶ−１に対する免疫応答を生成する、ポリヌクレオチド。
【請求項２】  さらに、ＨＩＶ−ｔａｔ遺伝子および／またはＨＩＶ  ｒｅｖ遺伝子で、対応するＣＡＥＶ遺伝子が置換されている、請求項１に記載のポリヌクレオチド。
【請求項３】  前記ＨＩＶ−１  ｅｎｖ遺伝子が、ＨＩＶ−１のＳＦ３３株またはＳＦ１６２株から得られる、請求項１または２に記載のポリヌクレオチド。
【請求項４】  前記ＨＩＶ−１  ｅｎｖ遺伝子が、ＨＩＶ−１のＳＦ３３株またはＳＦ１６２株のｅｎｖ遺伝子とは１５％以下が相違する、請求項１または２に記載のポリヌクレオチド。
【請求項５】  前記ＣＡＥＶのウイルスゲノムの前記セグメントが、ＣＡＥＶ−Ｃｏ（ＧｅｎＢａｎｋ登録番号Ｍ３３６７７）から得られる、請求項１に記載のポリヌクレオチド。
【請求項６】  請求項１〜５のいずれか１項に記載のポリヌクレオチドを含む、精製されたレトロウイルス。
【請求項７】  前記レトロウイルスが、インビトロで細胞障害性である、請求項６に記載の精製されたレトロウイルス。
【請求項８】  ＣＨＩＶ免疫原および薬学的に受容可能なキャリアを含む、ワクチンであって、該ＣＨＩＶ免疫原は、請求項１に記載のポリヌクレオチドまたはそのレトロウイルス粒子発現産物である、ワクチン。
【請求項９】  前記ＣＨＩＶ免疫原が、精製されたレトロウイルスである、請求項８に記載のワクチン。
【請求項１０】  前記ＣＨＩＶ免疫原が、キメラＣＨＩＶレトロウイルスゲノムを含む精製されたポリヌクレオチドである、請求項８に記載のワクチン。
【請求項１１】  ＨＩＶ感染の予防または処置において使用するための薬剤の調製における、ＣＨＩＶ免疫原の使用であって、該ＣＨＩＶ免疫原は、請求項１に記載のポリヌクレオチドまたはそのレトロウイルス粒子発現産物である、使用。
【請求項１２】  ＨＩＶ感染の予防または処置において使用するための薬剤の調製のための、治療的有効量のＣＨＩＶ免疫原とインビトロで接触させたリンパ球の使用であって、該ＣＨＩＶ免疫原は、請求項１に記載のポリヌクレオチドまたはそのレトロウイルス粒子発現産物である、使用。
【請求項１３】  レトロウイルスゲノムを発現し得る哺乳動物宿主細胞へ請求項１〜５のいずれか１項に記載のポリヌクレオチドを導入する工程、ウイルス粒子が生成されるように培地中で該宿主細胞を培養する工程、および該培養培地から該ウイルス粒子を精製する工程を包含する、ウイルス調製物の生成の方法。
【手続補正書】
【提出日】平成17年11月24日(2005.11.24)
【手続補正１】
【補正対象書類名】明細書
【補正対象項目名】特許請求の範囲
【補正方法】変更
【補正の内容】
【特許請求の範囲】
【請求項１】    検体の中のＣＤ９４／ＮＫＧ２＋ＮＫ細胞とＴ細胞の存在を同定する方法であって、結合条件下で検体をＨＬＡ−Ｅと接触させ細胞とＨＬＡ−Ｅの結合を検出することを含む方法。
【請求項２】  ＨＬＡ−Ｅがシグナル部分で標識化され結合ＨＬＡ−Ｅが検出される、請求項１の方法。
【請求項３】  検体からＣＤ９４／ＮＫＧ２＋細胞を選択する方法であって、検体を結合条件下でＨＬＡ−Ｅと接触させＨＬＡ−Ｅと結合した細胞を検体から分離することを含む方法。
【請求項４】  ＨＬＡ−Ｅが支持体上に固定化されている請求項３の方法。
【請求項５】  ＣＤ９４／ＮＫＧ２＋細胞を死滅または不活性化する方法であって、細胞をＨＬＡ−Ｅと結合条件下で接触させ結合細胞上で標的死滅を行なうことを含む方法。
【請求項６】  ＨＬＡ−Ｅがエフェクター剤に付着している請求項５に記載の方法。
【請求項７】  エフェクター剤が結合細胞を死滅または不活性化する毒性部分である請求項６の方法。
【請求項８】  ＣＤ９４／ＮＫＧ２＋細胞が混合細胞集団で提供され非ＣＤ９４／ＮＫＧ２＋細胞が回収される請求項５から７までの何れかの方法。
【請求項９】  潜在的標的細胞に対するＮＫ細胞活性を修飾する方法であって、標的細胞表面でＨＬＡ−Ｅを発現することを含む方法。
【請求項１０】  ＨＬＡ−Ｅが細胞内に安定に組み込まれている異種のＤＮＡによって発現されるものである請求項９の方法。
【請求項１１】  細胞がＨＬＡ−Ｅを通常は発現しない請求項１０の方法。
【請求項１２】  細胞が非ヒトの哺乳動物細胞である請求項１１の方法。
【請求項１３】  細胞が異種個体の器官または組織の中の一群の細胞に存在する請求項９から１２までの何れかの方法。
【請求項１４】  請求項３または請求項４の方法により単離されたＣＤ９４／ＮＫＧ２＋細胞。
【請求項１５】  請求項８の方法によるＣＤ９４／ＮＫＧ２＋細胞を欠如する細胞の集団。
【請求項１６】  請求項１４または請求項１５の細胞の効果的な量を患者に導入することを含む治療方法。
【請求項１７】  患者から細胞の検体を除去し、請求項３または請求項４または請求項８の方法によって検体からＣＤ９４／ＮＫＧ２＋細胞の集団またはＣＤ９４／ＮＫＧ２欠失細胞の集団を単離し、そして単離された細胞集団を患者に再導入することから成る方法。
【請求項１８】  細胞のゲノムの中へ組み込まれたＨＬＡ−Ｅをコード化する核酸により細胞表面でＨＬＡ−Ｅを発現する非ヒト哺乳動物細胞。
【請求項１９】  請求項１８による細胞を含む非ヒト哺乳動物。
【請求項２０】  化合物の生物学的活性を試験する方法であって、
（ｉ）  細胞表面でＣＤ９４／ＮＫＧ２レセプターを発現する細胞を提供し、
（ｉｉ）  試験すべき化合物の存在下にその細胞をＨＬＡ−Ｅと接触させ、そして
（ｉｉｉ）その化合物の存在がＨＬＡ−Ｅと細胞の結合に影響を与えるかどうかを決定する
ことを含む方法。
【請求項２１】  ＣＤ９４／ＮＫＧ２レセプターが、ＣＤ９４／ＮＫＧ２Ａレセプターのような阻害的ＮＫ細胞レセプターである請求項２０の方法。
【請求項２２】  ＣＤ９４／ＮＫＧ２レセプターが、ＣＤ９４／ＮＫＧ２Ｃレセプターのような促進的ＮＫ細胞レセプターである請求項２０の方法。
【請求項２３】  ＣＤ９４／ＮＫＧ２レセプターへのＨＬＡ−Ｅの結合に影響を与えるような請求項２０から２２までの何れかの方法で同定される化合物。
【請求項２４】  ２つまたはそれより多いＨＬＡ−Ｅ分子を含むＨＬＡ−Ｅの多量体であって、シグナル部分で標識されていてもよい非多量体ＨＬＡ−Ｅと比べて高められた結合能力をもっている多量体。
【請求項２５】  リンカー分子を経由して付着している組換えＨＬＡ−Ｅ分子を含む請求項２４の多量体。
【請求項２６】  ＨＬＡ−Ｅ分子がビオチン化され、たとえばストレプタビジン、アビジンまたはエキストラビジンのようなリンカー分子を経由して付着している請求項２５の多量体。
【請求項２７】  毒性剤とカップリングしたＨＬＡ−Ｅ。
【請求項２８】  ＨＬＡ−Ｅが請求項２４から２６までの何れかのＨＬＡ−Ｅの多量体の形態である請求項２７のＨＬＡ−Ｅ。
【請求項２９】  支持体に固定化されたＨＬＡ−Ｅ。
【手続補正書】
【提出日】平成18年4月27日(2006.4.27)
【手続補正１】
【補正対象書類名】明細書
【補正対象項目名】特許請求の範囲
【補正方法】変更
【補正の内容】
【特許請求の範囲】
【請求項１】  骨髄細胞からニューロン表現型を有する細胞を調製するための新規な方法であって、該方法は、
ａ）  骨髄細胞を提供する工程；
ｂ）  多数の骨髄ストロマ細胞を骨髄から選択する工程；
ｃ）  ストロマ細胞を、ＥＧＦ、ＰＤＧＦまたはその組合せから選択されるマイトジェンと共に増殖培地でインキュベートする工程；
ｄ）  工程（ｃ）から得た細胞を、少なくとも１種のレチノイン酸、及び、ＢＤＮＦ、ＧＤＮＦまたはＮＧＦから選択される少なくとも１種の分化剤を含むニューロン増殖培地でインキュベートし、それにより、ニューロン表現型を有する細胞を調製する工程、
を包含する。
【請求項２】  工程ｂが、造血幹細胞を分離することを更に包含する、請求項１に記載の方法。
【請求項３】  工程ｂが、骨髄細胞および好適な培養培地をプラスチック製の培養培地容器に入れること、骨髄ストロマ細胞をプラスチックに接着させること、および培地を交換することにより他の細胞を除去することを更に包含する、請求項１に記載の方法。
【請求項４】  該分化剤に加えて、胎児ニューロン細胞が添加される、請求項１に記載の方法。
【請求項５】  レチノイン酸が９−シスレチノイン酸、全トランスレチノイン酸またはその組合せである、請求項１に記載の方法。
【手続補正書】
【提出日】平成18年1月30日(2006.1.30)
【手続補正１】
【補正対象書類名】明細書
【補正対象項目名】特許請求の範囲
【補正方法】変更
【補正の内容】
【特許請求の範囲】
【請求項１】  体表面を通して薬剤を供給または採取するための電気伝達装置（１０）であり、その装置が、アノード電極アセンブリ；カソード電極アセンブリ；および、アノード電極アセンブリとカソード電極アセンブリとに電気的に接続する電源を含み、アノード電極アセンブリおよびカソード電極アセンブリ（６０）の少なくとも１つが、少なくとも一部、固相の電気化学的に反応性の材料によって構成され、初期電気抵抗を有し、電流に晒される際に、より低い抵抗性となる電極（６２）；使用時に、体表面とイオン透過関係に位置させられる電解質溜め（６３）；および、電極（６２）とは別個で、電極（６２）の抵抗よりも少ない電気抵抗を有し、電源（３２）と電極（６２）との間で電流を伝達する電流コレクタ（６１）を含む装置において、その装置（１０）が、
電極（６２）、電流コレクタ（６１）および電解質溜め（６３）が電気伝達流の流れに対して共通境界を形成することを特徴とする装置。
【請求項２】  電極（６２）が、初期電気シート抵抗１００オーム／平方より大を有する、請求項１に記載の装置。
【請求項３】  電極（６２）が、電流に晒される際に、前記初期電気シート抵抗より低い電気シート抵抗を有する形に、酸化または還元される、請求項１または請求項２に記載の装置。
【請求項４】  電源（３２）が電流コレクタ（６１）を通して電極（６２）に電流ｉを印加し、共通境界（６４）が長さｌを有し、ｌ：ｉの比が少なくとも０．１ｃｍ／ｍＡである、請求項１〜請求項３のいずれか１項に記載の装置。
【請求項５】  共通境界（６４）が、長さ少なくとも０．１ｃｍを有する、請求項１〜請求項４のいずれか１項に記載の装置。
【請求項６】  固体の電気化学的に反応性の材料が、電解質中の溶解度約１ｍｇ／ｍｌ未満を有する、請求項１〜請求項５のいずれか１項に記載の装置。
【請求項７】  電流コレクタ（６１）が、電極（６２）のシート抵抗の１／２未満であるシート抵抗を有する、請求項２〜請求項６のいずれか１項に記載の装置。
【請求項８】  電極（６２）が、電気化学的に反応性の材料の実質的に全てによって構成される、請求項１〜請求項７のいずれか１項に記載の装置。
【請求項９】  電極（６２）が、ポリマーマトリックスを含み、電気化学的に反応性の材料が、前記マトリックス内に含有されている、請求項１〜請求項８に記載の装置。
【請求項１０】  ポリマーマトリックスが、使用前に、いずれの電気的に導電性の材料をも実質的に含まない、請求項９に記載の装置。
【請求項１１】  電流コレクタ（６１）が、金属およびカーボンからなる群より選択される材料によって構成される、請求項１〜請求項１０のいずれか１項に記載の装置。
【請求項１２】  電解質溜め（６３）が水性溶液を含む、請求項１〜請求項１１に記載の装置。
【請求項１３】  共通境界（６４）を有する電極アセンブリ（６０）がカソード電極アセンブリであり、電気化学的に反応性の材料が還元可能である、請求項１〜請求項１２のいずれか１項に記載の装置。
【請求項１４】  還元可能な材料が、金属化合物、金属錯体、インターカレーション化合物、アルカリ金属をホストとするカーボンインターカレーションホストおよび電気化学的に還元可能なポリマー類からなる群より選択される、請求項１３に記載の装置。
【請求項１５】  還元可能な物質が、（ｉ）式：Ｍx(ＷＯ3)y〔式中、Ｍは、金属であり、ｘは、０に等しいかそれより大きい数であり、ｙは、０より大きい数である。〕を有するインターカレーション化合物；（ｉｉ）式：Ｍx〔Ｆｅ（ＣＮ）6〕y〔式中、ｘおよびｙは、０より大きい数である。〕を有する金属化合物；および、（ｉｉｉ）式：ＭＸ〔Ｍは、電気化学的に還元可能な金属イオンであり、Ｘは、ハライド類、高分子アニオン類および低分子量アニオン類からなる群より選択される。〕を有する化合物または錯体；のうちの少なくとも１つである、請求項１４に記載の装置。
【請求項１６】  電極（６２）が塩化銀によって構成される、請求項１〜請求項１５のいずれか１項に記載の装置。
【請求項１７】  共通境界（６４）を有する電極アセンブリ（６０）がアノード電極アセンブリであり、電気化学的に反応性の材料が酸化可能である、請求項１〜請求項１６のいずれか１項に記載の装置。
【請求項１８】  酸化可能な材料が、ポリアニリンのロイコ形；および、遷移金属ハライド−インターカレーションされたカーボンまたはグラファイトからなる群より選択される、請求項１７に記載の装置。
【請求項１９】  薬剤が、皮膚を通して装置（１０）によって供給される治療剤であり、アノード電極アセンブリおよびカソード電極アセンブリの少なくとも１つが、治療剤を収容する溜め（２６，２８）を有する、請求項１〜請求項１８のいずれか１項に記載の装置。
【請求項２０】  薬剤が、アノード電極アセンブリおよびカソード電極アセンブリの少なくとも１つに体分析物収容溜め（２６，２８）を含む装置（１０）によって経皮的に採取される体分析物である、請求項１〜請求項１９のいずれか１項に記載の装置。
【手続補正書】
【提出日】平成18年4月28日(2006.4.28)
【手続補正１】
【補正対象書類名】明細書
【補正対象項目名】特許請求の範囲
【補正方法】変更
【補正の内容】
【特許請求の範囲】
【請求項１】
殺虫活性をもつ蛋白質をコードする単離されたポリヌクレオチドであって、配列番号：29、配列番号：30、配列番号：31、配列番号：32、配列番号：33、配列番号：35、配列番号：36、配列番号：37、配列番号：38、配列番号：39、配列番号：40、配列番号：41、配列番号：42、配列番号：43、配列番号：45、配列番号：47、配列番号：49、配列番号：51、配列番号：52、配列番号：53および配列番号：54からなる群より選択されるヌクレオチド配列が、該蛋白質をコードするヌクレオチド配列または該蛋白質をコードするヌクレオチド配列に対して相補的なヌクレオチド配列とストリンジェントな条件下でハイブリダイズするポリヌクレオチド。
【請求項２】
配列番号：34、配列番号：44、配列番号：46、配列番号：48、配列番号：50および配列番号：54からなる群より選択されるアミノ酸配列の少なくとも殺虫活性をもつ部分をコードする単離ポリヌクレオチド。
【請求項３】
配列番号：54に示すアミノ酸配列の少なくとも殺虫性部分を含む蛋白質をコードする、請求項1記載のポリヌクレオチド。
【請求項４】
殺虫活性をもつ蛋白質をコードするのに十分な配列番号：53に示すヌクレオチド配列の少なくとも一部を含む、請求項1記載のポリヌクレオチド。
【請求項５】
請求項1記載のポリヌクレオチドの少なくとも1つを含む組換え宿主。
【請求項６】
植物細胞である、請求項5記載の組換え宿主。
【請求項７】
植物体である、請求項5記載の組換え宿主。
【請求項８】
請求項1記載のポリヌクレオチドによってコードされる、殺虫活性をもつ蛋白質。
【請求項９】
非哺乳類害虫を請求項1記載のポリヌクレオチドによってコードされる殺虫活性をもつ蛋白質の少なくとも1つと接触させることによって、非哺乳類害虫を駆除する方法。
【請求項１０】
請求項1記載のポリヌクレオチドによってコードされる殺虫活性をもつ蛋白質を産生するB.t.単離株の生物学的に純粋な培養物であって、該単離株がPS33F1、PS71G4、PS86D1、PS185V2、PS191A21、PS2012、PS205A3、PS205C、PS234E1、PS248N10、KB63B19-13、KB63B19-7、KB68B62-7、KB68B63-2、KB69A125-l、KB69A125-3、KB69A125-5、KB69A127-7、KB69A132-1、KB69B2-1、KB70B5-3、KB71A125-15、KB71A35-6、KB71A72-1、KB71A134-2、PS185Y2およびKB59A4-6からなる群より選択される培養物。
【請求項１１】
配列番号：54のアミノ酸配列と少なくとも95%の相同性を有する殺虫活性蛋白質をコードする単離ポリヌクレオチド。
【請求項１２】
蛋白質が配列番号：54のアミノ酸配列を含む、請求項11記載のポリヌクレオチド。
【請求項１３】
配列番号：53のポリヌクレオチドを含む、請求項11記載のポリヌクレオチド。
【請求項１４】
殺虫活性蛋白質をコードする単離ポリヌクレオチドを含む宿主細胞であって、該蛋白質が配列番号：54のアミノ酸配列と少なくとも95%の相同性を有し、かつ、該細胞が植物細胞および微生物細胞からなる群より選択される宿主細胞。
【請求項１５】
蛋白質が配列番号：54の配列を含む、請求項14記載の細胞。
【請求項１６】
ポリヌクレオチドが配列番号：53のヌクレオチド配列を含む、請求項14記載の細胞。
【請求項１７】
植物細胞である、請求項14記載の細胞。
【請求項１８】
微生物細胞である、請求項14記載の細胞。
【請求項１９】
細菌細胞である、請求項18記載の微生物細胞。
【請求項２０】
殺虫活性蛋白質をコードする単離ポリヌクレオチドを含むトランスジェニック植物であって、該蛋白質が配列番号：54のアミノ酸配列と少なくとも95%の相同性を有するトランスジェニック植物。
【請求項２１】
蛋白質が配列番号：54の配列を含む、請求項20記載の植物。
【請求項２２】
ポリヌクレオチドが配列番号：53のヌクレオチド配列を含む、請求項20記載の植物。
【請求項２３】
配列番号：54のアミノ酸配列と少なくとも95%の相同性を有する、単離殺虫活性蛋白質。
【請求項２４】
配列番号：54のアミノ酸配列を含む、請求項23記載の蛋白質。
【請求項２５】
鱗翅目害虫を制御する方法であって、該方法が該害虫を蛋白質と接触させることを含み、該蛋白質が配列番号：54のアミノ酸配列と少なくとも95%の相同性を有する方法。
【請求項２６】
蛋白質が配列番号：54のアミノ酸配列を含む、請求項25記載の方法。
【請求項２７】
蛋白質が植物によって産生され、かつ植物において存在し、かつ、鱗翅目害虫が該植物の部分を摂食し、それにより該植物と接触する、請求項25記載の方法。
【請求項２８】
バチルス・チューリンギエンシス（Bacillus thuringiensis）単離株KB59A4-6の生物学的に純粋な培養物。
【手続補正書】
【提出日】平成18年4月21日(2006.4.21)
【手続補正１】
【補正対象書類名】明細書
【補正対象項目名】特許請求の範囲
【補正方法】変更
【補正の内容】
【特許請求の範囲】
【請求項１】  線維芽細胞活性化タンパク質に特異的に結合する、配列番号２に記載のアミノ酸配列を含む抗体タンパク質。
【請求項２】  更に配列番号12に記載のアミノ酸配列を含む、請求項１に記載の抗体タンパク質。
【請求項３】  更に配列番号20に記載のアミノ酸配列および配列番号22に記載のアミノ酸配列を含む、請求項１または２に記載の抗体タンパク質。
【請求項４】  請求項１〜３のいずれか１項に記載の抗体タンパク質をコードするDNA分子。
【請求項５】  請求項４に記載のDNA分子を有する宿主細胞。
【請求項６】  請求項１〜３のいずれか１項に記載の抗体タンパク質を生産する方法であって、以下の工程を含む方法：
（ａ）請求項５に記載の宿主細胞を、前記抗体タンパク質が前記宿主細胞によって発現される条件下で培養する工程、
（ｂ）前記抗体タンパク質を単離する工程。
【請求項７】  放射性同位元素、好ましくは131I、125I、186Re、188Re、または90Yに結合した請求項１〜３に記載の抗体タンパク質。
【請求項８】  請求項１〜３または７に記載の抗体タンパク質および製薬的に許容できる担体を含む医薬組成物。
【手続補正書】
【提出日】平成18年3月15日(2006.3.15)
【手続補正１】
【補正対象書類名】明細書
【補正対象項目名】特許請求の範囲
【補正方法】変更
【補正の内容】
【特許請求の範囲】
【請求項１】  配列番号２で示されたアミノ酸配列に対して７０〜１００％の相同性を有するアミノ酸配列を含み、タンパク質Ａ２０と相互作用することができ、及び／あるいはＮＦ−κＢの活性化を調節及び／又は阻害することができ、かつＮｅｆ関連因子１ではない、単離されたタンパク質。
【請求項２】  配列番号３で表された配列番号２のアミノ酸５４〜６４７に対して７０〜１００％の相同性を有するアミノ酸配列を含み、タンパク質Ａ２０と相互作用することができ、及び／あるいは、ＮＦ−κＢの活性化を調節及び／又は阻害することができる、単離されたタンパク質。
【請求項３】  配列番号８で表された配列番号２のアミノ酸４２０〜６４７に対して７０〜１００％の相同性を有するアミノ酸配列を含み、タンパク質Ａ２０と相互作用することができ、及び／あるいは、ＮＦ−κＢの活性化を調節及び／又は阻害することができる、単離されたタンパク質。
【請求項４】  配列番号５で表されたアミノ酸配列に対して７０〜１００％の相同性を有するアミノ酸配列を含み、タンパク質Ａ２０と相互作用することができ、及び／あるいは、ＮＦ−κＢの活性化を調節及び／又は阻害することができる、単離されたタンパク質。
【請求項５】  配列番号６及び／又は配列番号７で表された共通アミノ酸配列を含む、請求項１〜４いずれか１項記載の単離されたタンパク質。
【請求項６】  請求項１〜５いずれか１項記載のタンパク質をコードする核酸。
【請求項７】  配列番号１で表されたＤＮＡ配列に対して約７０〜１００％の相同性を有する、請求項６記載の核酸。
【請求項８】  配列番号４で表されたＤＮＡ配列に対して約７０〜１００％の相同性を有する、請求項６記載の核酸。
【請求項９】  タンパク質Ａ２０と相互作用することができ、及び／あるいは、ＮＦ−κＢの活性化を調節及び／又は阻害することができる、医薬として使用するための、請求項１〜５いずれか１項記載の単離されたタンパク質及び／又はその機能的断片。
【請求項１０】  タンパク質Ａ２０と相互作用することができ、及び／あるいは、ＮＦ−κＢの活性化を調節及び／又は阻害することができる、呼吸器障害、同種移植拒絶、慢性炎症性疾患、敗血症性ショック、アルツハイマー病、アテローム性動脈硬化症、癌及び又は自己免疫疾患を処置するための医薬の製造のための、請求項１〜５いずれか１項記載の単離されたタンパク質及び／又はその機能的断片の使用。
【請求項１１】  呼吸器障害が成人呼吸困難症候群であり、慢性炎症性疾患がリウマチ様関節炎、喘息、又は炎症性腸疾患であり、そして自己免疫疾患が全身性エリテマトーデスである、請求項１０記載の使用。
【請求項１２】  該タンパク質が、配列番号２のアミノ酸５４〜６４７、好ましくは３９０〜６４７を少なくとも含む、請求項１０又は１１項記載の、タンパク質Ａ２０と相互作用することができ、及び／あるいは、ＮＦ−κＢの活性化を調節及び／又は阻害することができる、単離された機能的タンパク質及び／又はその機能的断片の使用。
【請求項１３】  該タンパク質が、配列番号２のアミノ酸４２０〜６４７を少なくとも含む、請求項１２記載の、タンパク質Ａ２０と相互作用することができ、及び／あるいは、ＮＦ−κＢの活性化を調節及び／又は阻害することができる、機能的タンパク質及び／又はその機能的断片の使用。
【請求項１４】  請求項１〜５いずれか１項記載の、タンパク質Ａ２０と相互作用することができ、及び／あるいは、ＮＦ−κＢの活性化を調節及び／又は阻害することができる、機能的タンパク質及び／又はその機能的断片の、該タンパク質とＮＦ−κＢ関連経路の他のタンパク質成分との相互作用を妨害する化合物をスクリーニングするための使用。
【請求項１５】  請求項１４記載のタンパク質の使用を含む、化合物をスクリーニングする方法。
【請求項１６】  請求項１〜５いずれか１項記載の、タンパク質Ａ２０と相互作用することができ、及び／あるいは、ＮＦ−κＢの活性化を調節及び／又は阻害することができる、１つ以上の単離された機能的タンパク質及び／又はその機能的断片並びに薬学的に許容し得る担体物質を含む、薬学的組成物。
【手続補正書】
【提出日】平成18年2月27日(2006.2.27)
【手続補正１】
【補正対象書類名】明細書
【補正対象項目名】特許請求の範囲
【補正方法】変更
【補正の内容】
【特許請求の範囲】
【請求項１】  レシピエントにおいて異種反応性Ｔ細胞の活性化を防止するために同時刺激シグナル２の送達を遮断することによって、異種移植された臓器のＴ細胞媒介拒絶を阻害し得る、生物学的試薬。
【請求項２】  異種移植された臓器のＴ細胞媒介拒絶を阻害するための薬学的組成物であって、レシピエントにおける異種反応性Ｔ細胞の活性化を防止するために、同時刺激シグナル２の送達を遮断する可溶性タンパク質を含有する、組成物。
【請求項３】  異種ドナー生物由来の可溶性形態のＣＴＬＡ−４タンパク質を含有する、請求項２に記載の薬学的組成物。
【請求項４】  前記可溶性タンパク質が、ヒトＣγ１配列に融合したブタＣＴＬＡ−４の細胞外ドメインを含む、請求項３に記載の薬学的組成物。
【請求項５】  医薬として使用するための、可溶性形態の異種ＣＴＬＡ−４。
【請求項６】  配列番号１のアミノ酸配列を含む、タンパク質。
【請求項７】  請求項６に記載のタンパク質をコードする、核酸。
【請求項８】  前記試薬が、ＣＴＬＡ−４に結合し得る膜結合タンパク質である、請求項１に記載の生物学的試薬。
【請求項９】  ＣＴＬＡ−４に特異的な一本鎖抗体を含む、請求項８に記載のタンパク質。
【請求項１０】  請求項８または請求項９に記載のタンパク質をコードする、核酸。
【請求項１１】  その表面に請求項８または請求項９に記載のタンパク質を発現する、細胞。
【請求項１２】  請求項１１に記載の細胞を含む、生物学的組織。
【請求項１３】  請求項１１に記載の細胞および／または請求項１２に記載の生物学的組織を含む、動物。
【請求項１４】  ドナー動物から異種レシピエント動物へ、請求項１２に記載の生物学的組織を移植する工程を包含する、移植法。
【請求項１５】  生物学的組織を異種移植に適切にするためのプロセスであって、該生物学的組織が請求項８または請求項９に記載のタンパク質をその細胞表面上に発現するように、該生物学的組織を処置する工程を包含する、プロセス。
【請求項１６】  医薬として使用するための、請求項８もしくは請求項９に記載のタンパク質、または請求項１０に記載の核酸。
【請求項１７】  異種移植レシピエントまたはドナーに投与するための処方物の調製における、請求項８もしくは請求項９に記載のタンパク質、または請求項１０に記載の核酸の、使用。
【請求項１８】  前記試薬が、異なる生物のＭＨＣクラスＩＩをその表面上に発現する細胞である、請求項１に記載の生物学的試薬。
【請求項１９】  前記細胞が、ヒトＭＨＣクラスＩＩをその表面に発現するブタ細胞である、請求項１８に記載の細胞。
【請求項２０】  前記細胞が、その表面上にＢ７を発現しない、請求項１８または請求項１９に記載の細胞。
【請求項２１】  前記細胞が、トランスフェクトされた未成熟樹状細胞である、請求項１８または請求項１９に記載の細胞。
【請求項２２】  請求項１８、１９、２０、または２１のいずれか１項に記載の細胞を含む、生物学的組織。
【請求項２３】  請求項２２に記載の生物学的組織を含む、動物。
【請求項２４】  ドナー動物から異種レシピエント動物へ、請求項２２に記載の生物学的組織を移植する工程を包含する、移植法。
【請求項２５】  生物学的組織を異種移植に適切にするためのプロセスであって、該生物学的組織がその細胞の表面上に異種ＭＨＣクラスＩＩを発現するように、該生物学的組織を処置する工程を包含する、プロセス。
【請求項２６】  医薬として使用するための、請求項１８、１９、２０、または２１のいずれか１項に記載の細胞。
【請求項２７】  異種移植レシピエントに投与するための処方物の製造における、請求項２２に記載の生物学的組織の使用。
【請求項２８】  異種移植ドナーに投与するための処方物の調製における、異種ＭＨＣクラスＩＩまたは異種ＭＨＣクラスＩＩをコードする核酸の、使用。